(57)【特許請求の範囲】
【請求項１】
口頸部の先端の開口部より内容物を押出す可撓性容器であって、
前記口頸部の外周に設けられた雄ネジを、該雄ネジの周方向に対向させた対となる雄ネジ欠損部を、周方向に等間隔になるように２、３、あるいは、４対設けて、短い短雄ネジ部が断続する雄ネジとし、
対向する前記雄ネジ欠損部を押して前記口頸部を扁平にして、前記雄ネジ欠損部を挟んで隣り合った前記短雄ネジ部どうしが接触したときに、対向する前記雄ネジ欠損部の距離が、前記口頸部の内径の１／３から２／３になり、
前記短雄ネジ部の前記雄ネジ欠損部側の両端が曲線状に形成されていることを特徴とする可撓性容器。
【請求項２】
前記口頸部の雄ネジの上方に、閉栓時に、キャップ内面に設けられたリング状凹部に嵌り込み、前記キャップと前記口頸部との位置を保持する環状係止突起が設けられていて、該環状係止突起に、前記雄ネジ欠損部と口頸部軸方向の略同位置に並んで、係止突起欠損部を設けることによって短い短係止突起部が断続する環状係止突起としたことを特徴とする請求項１に記載の可撓性容器。
【請求項３】
口頸部の先端の開口部より内容物を押出す可撓性容器であって、
前記口頸部の外周に設けられた雄ネジを、該雄ネジの周方向に対向させた対となる雄ネジ欠損部を、周方向に等間隔になるように２、３、あるいは、４対設けて、短い短雄ネジ部が断続する雄ネジとし、
対向する前記雄ネジ欠損部を押して前記口頸部を扁平にして、前記雄ネジ欠損部を挟んで隣り合った前記短雄ネジ部どうしが接触したときに、対向する前記雄ネジ欠損部の距離が、前記口頸部の内径の１／３から２／３になり、
前記口頸部の雄ネジの上方に、閉栓時に、キャップ内面に設けられたリング状凹部に嵌り込み、前記キャップと前記口頸部との位置を保持する環状係止突起が設けられていて、該環状係止突起に、前記雄ネジ欠損部と口頸部軸方向の略同位置に並んで、係止突起欠損部を設けることによって短い短係止突起部が断続する環状係止突起としたことを特徴とする可撓性容器。
【請求項４】
口頸部の先端の開口部より内容物を押出す可撓性容器であって、
キャップ内面に設けられたリング状溝に咬合してキャップを嵌合する、口頸部の外周に設けられた咬合リング突起を設け、該咬合リング突起の周方向に対向させた対となる咬合リング欠損部を、周方向に等間隔になるように２、３、あるいは、４対設けて、短い短咬合リング突起部が断続する咬合リング突起とし、
対向する前記咬合リング欠損部を押して前記口頸部を扁平にして、前記咬合リング欠損部を挟んで隣り合った前記短咬合リング突起部どうしが接触したときに、対向する前記咬合リング欠損部間の距離が、前記口頸部の内径の１／３から２／３になり、
前記短咬合リング突起部の前記咬合リング欠損部側の両端が曲線状に形成されていることを特徴とする可撓性容器。
【発明の詳細な説明】
【技術分野】
【０００１】
本発明は、可撓性容器に関するものである。
【背景技術】
【０００２】
従来から、マヨネーズ、ケチャップ、練りからし、練り歯磨きなどの、比較的粘度の高い内容物であるペースト状や粘稠性を有する食品または非食品は、ブロー成形ボトルや、下端部を扁平状に折り返して封鎖したチューブ容器などの、容器を押して内容物を絞り出す可撓性容器に充填され使用されている。
【０００３】
上述のような比較的粘度の高い内容物は、可撓性容器より絞り出して用いるが、内容物が残り少なくなってくると、最後まで出し切ることはできない。特に開口部の設けられた口頸部に残っている内容物を、絞り出すことは不可能に近かった。
【０００４】
そこで、口頸部の外周面に形成された雄ネジに、雄ネジを構成する凸条部が欠けた間欠部が、口頸部の軸方向Ｘに並んで配置され、これらの間欠部を縦断して凹溝が形成されていて、口頸部を押しつぶして、口頸部の中の内容物と絞り出す可撓性容器があった（特許文献１、２、３など）。
【０００５】
公知文献を以下に示す。
【先行技術文献】
【特許文献】
【０００６】
【特許文献１】特開２００７−９１３４１号公報
【特許文献２】特開２００７−３０８１９５号公報
【特許文献３】特開２００８−２１３８８３号公報
【発明の概要】
【発明が解決しようとする課題】
【０００７】
上記、可撓性容器では、口頸部を指で挟んで押しつぶした場合、指で挟んだ部分の口頸部の内面どうしが、触れ合うまで押しつぶされ、口頸部の断面が略８の字形状の扁平になる。そして略８の字形状の扁平の両端から少し内容物が出るだけであって、内容物が開口部の外側に付着してしまうこともあった。また、押さえすぎて内容物が余計に口頸部の内壁に付着してしまい、口頸部の内壁に付着した内容物が取れないといった問題があった。
【０００８】
さらには、口頸部の内面どうしが、触れ合うまで押しつぶされると、再度キャップをして、再封しようとしても、口頸部の断面が略８の字状態から戻らなくなってしまい、キャップが嵌らないといったことも起きる。
【０００９】
また、雄ネジを構成する凸条部が欠けた間欠部で、間欠部の両側の凸条部の形状が考慮されていないので、指で挟んで押しつぶすとき、凸条部の端が角張っていて、当たった指が痛い。また指が間欠部の両側の凸条部に挟まれてしまうなどの問題もあった。
【００１０】
本発明は上記した事情に鑑みてなされたもので、口頸部の中の内容物まで絞り出せて、口頸部の断面が扁平のままにならないで再度キャップをすることが可能な可撓性容器、さらには、押しつぶすときに指が痛くなることのない可撓性容器を提供することを課題としている。
【課題を解決するための手段】
【００１１】
本発明の請求項１に係る発明は、口頸部の先端の開口部より内容物を押出す可撓性容器であって、
前記口頸部の外周に設けられた雄ネジを、該雄ネジの周方向に対向させた対となる雄ネジ欠損部を、周方向に等間隔になるように２、３、あるいは、４対設けて、短い短雄ネジ部が断続する雄ネジとし、
対向する前記雄ネジ欠損部を押して前記口頸部を扁平にして、前記雄ネジ欠損部を挟んで隣り合った前記短雄ネジ部どうしが接触したときに、対向する前記雄ネジ欠損部の距離が、前記口頸部の内径の１／３から２／３になり、
前記短雄ネジ部の前記雄ネジ欠損部側の両端が曲線状に形成されていることを特徴とする可撓性容器である。
【００１２】
本発明は、上記構成になっていることから、まず、対向する位置の一対の雄ネジ欠損部を指で挟んで、口頸部を押しつぶすと、対向する前記雄ネジ欠損部の距離が、前記口頸部の内径の１／３から２／３になり、口頸部の中の内容物もその幅に押しつぶされ、一部が開口部から押出され、指を離しても、内容物が元に戻らない。
【００１３】
次に、別の一対の雄ネジ欠損部を指で挟んで口頸部を押しつぶすと、この雄ネジ欠損部の距離も、口頸部の内径の１／３から２／３になり、口頸部の中の内容物もその幅に押しつぶされて、口頸部の中の内容物は細くなり、また、一部が開口部から押出され、指を離しても、内容物が元に戻らない。
【００１４】
このように繰り返して、一対の雄ネジ欠損部を指で挟んで口頸部を押しつぶしていくと、口頸部の中の内容物は細くなり、口頸部の内壁より浮き気味になり、離れやすくなる。そして、開口部からは、内容物が押出された状態となる。
【００１５】
そして、押出された状態の内容物の先を、内容物を取り出す先のものに触れさせて、離すと、押出された状態の内容物と、口頸部の中の細くなった内容物が、内容物を取り出す先のものに取られ、口頸部の中の内容物まで出すことができる。
【００１６】
そして、指で挟んで押しつぶしても、元に戻せば、口頸部の断面が扁平のままにならないので、口頸部より中に、内容物が残っているときにも、再度キャップをすることができる。
【００１７】
本発明は更に、短雄ネジ部の雄ネジ欠損部側の両端が曲線状に形成されているので、対向する位置の一対の雄ネジ欠損部を指で挟んで、口頸部を押しつぶすときに、指が痛くなることがない。
【００１８】
本発明の請求項２に係る発明は、前記口頸部の雄ネジの上方に、閉栓時に、キャップ内面に設けられたリング状凹部に嵌り込み、前記キャップと前記口頸部との位置を保持する環状係止突起が設けられていて、該環状係止突起に、前記雄ネジ欠損部と口頸部軸方向の略同位置に並んで、係止突起欠損部を設けることによって短い短係止突起部が断続する環状係止突起としたことを特徴とする請求項１に記載の可撓性容器である。
【００１９】
本発明の請求項３に係る発明は、口頸部の先端の開口部より内容物を押出す可撓性容器であって、
前記口頸部の外周に設けられた雄ネジを、該雄ネジの周方向に対向させた対となる雄ネジ欠損部を、周方向に等間隔になるように２、３、あるいは、４対設けて、短い短雄ネジ部が断続する雄ネジとし、
対向する前記雄ネジ欠損部を押して前記口頸部を扁平にして、前記雄ネジ欠損部を挟んで隣り合った前記短雄ネジ部どうしが接触したときに、対向する前記雄ネジ欠損部の距離が、前記口頸部の内径の１／３から２／３になり、
前記口頸部の雄ネジの上方に、閉栓時に、キャップ内面に設けられたリング状凹部に嵌り込み、前記キャップと前記口頸部との位置を保持する環状係止突起が設けられていて、該環状係止突起に、前記雄ネジ欠損部と口頸部軸方向の略同位置に並んで、係止突起欠損部を設けることによって短い短係止突起部が断続する環状係止突起としたことを特徴とする可撓性容器である。
【００２０】
口頸部の雄ネジの上方に、キャップを係止する環状係止突起が設けられていても、環状係止突起に、前記雄ネジ欠損部と口頸部軸方向の略同位置に並んで、係止突起欠損部が設けられているので、一対の雄ネジ欠損部を指で挟んで、口頸部を押しつぶすことができ、口頸部の中の内容物まで、出すことができる。
【００２１】
本発明の請求項４に係る発明は、口頸部の先端の開口部より内容物を押出す可撓性容器であって、
キャップ内面に設けられたリング状溝に咬合してキャップを嵌合する、口頸部の外周に設けられた咬合リング突起を設け、該咬合リング突起の周方向に対向させた対となる咬合リング欠損部を、周方向に等間隔になるように２、３、あるいは、４対設けて、短い短咬合リング突起部が断続する咬合リング突起とし、
対向する前記咬合リング欠損部を押して前記口頸部を扁平にして、前記咬合リング欠損部を挟んで隣り合った前記短咬合リング突起部どうしが接触したときに、対向する前記咬合リング欠損部間の距離が、前記口頸部の内径の１／３から２／３になり、
前記短咬合リング突起部の前記咬合リング欠損部側の両端が曲線状に形成されていることを特徴とする可撓性容器である。
【００２２】
スクリューキャップではなく、打栓キャップを用いる場合でも、本発明は、上記構成になっていることから、まず、咬合リング突起の対向する位置の一対の咬合リング欠損部を指で挟んで口頸部を押しつぶすと、対向する前記咬合リング欠損部の距離が、前記口頸部の内径の１／３から２／３になり、口頸部の中の内容物もその幅に押しつぶされ、一部が開口部から押出され、指を離しても、内容物が元に戻らない。
【００２３】
次に、別の一対の咬合リング欠損部を指で挟んで、口頸部を押しつぶすと、この咬合リング欠損部の距離も、口頸部の内径の１／３から２／３になり、口頸部の中の内容物もその幅に押しつぶされて、２回の動作で口頸部の中の内容物は細くなり、また、一部が開口部から押出され、指を離しても、内容物が元に戻らない。
【００２４】
このように繰り返して、一対の咬合リング欠損部を指で挟んで押しつぶしていくと、口頸部の中の内容物は細くなり、口頸部の内壁より浮き気味になり、離れやすくなる。そして、開口部からは、内容物が押出された状態となる。
【００２５】
押出された状態の内容物の先を、内容物を取り出す先のものに触れさせて、離すと、押出された状態の内容物と、口頸部の中の細くなった内容物が、内容物を取り出す先のものに取られ、口頸部の中の内容物まで出すことができる。
【００２６】
そして、指で挟んで押しつぶしても、元に戻せば、口頸部の断面が扁平のままにならないので、口頸部より中に、内容物が残っているときにも、再度キャップをすることができる。
【００２７】
本発明は更に、短咬合リング突起部の前記咬合リング欠損部側の両端が、曲線状に形成されているので、対向する位置の一対の咬合リング欠損部を指で挟んで押しつぶすときに、指が痛くなることがない。
【発明の効果】
【００２９】
本発明の可撓性容器は、口頸部の中の内容物まで絞り出せて、口頸部の断面が扁平のままにならないで再度キャップをすることが可能である。さらには、押しつぶすときに指が痛くなることもない。
【図面の簡単な説明】
【００３０】
【図１】本発明の可撓性容器の第１の実施形態を模式的に正面で示した説明図である。
【図２】本発明の可撓性容器の第１の実施形態の正面を部分拡大した説明図である。
【図３】本発明の可撓性容器の第１の実施形態の口頸部を模式的に平面で示した説明図である。
【図４】本発明の可撓性容器の第１の実施形態で口頸部の内容物を出す方法を説明する図である。（Ａ）対向する位置の一対の雄ネジ欠損部を押しつぶしたときの状態を示す平面図である。（Ｂ）次に、別の一対の雄ネジ欠損部を押しつぶしたときの状態を示す平面図である。（Ｃ）次に、雄ネジ欠損部を押しつぶすのをやめて、開放された状態を示す平面図である。（Ｄ）（Ｃ）の状態の正面図である。
【図５】本発明の可撓性容器の第２の実施形態を模式的に正面で示した説明図である。
【図６】本発明の可撓性容器の第２の実施形態の正面を部分拡大した説明図である。
【図７】本発明の可撓性容器の第２の実施形態の口頸部を模式的に平面で示した説明図である。
【図８】本発明の可撓性容器の第３の実施形態を模式的に正面で示した説明図である。
【図９】本発明の可撓性容器の第３の実施形態の正面を部分拡大した説明図である。
【図１０】本発明の可撓性容器の第３の実施形態の口頸部を模式的に平面で示した説明図である。
【発明を実施するための形態】
【００３１】
＜第１の実施形態＞
以下、本発明を実施するための第１の実施形態につき説明する。
図１は、本発明の可撓性容器の第１の実施形態を模式的に正面で示した説明図、図２は、本発明の可撓性容器の第１の実施形態の正面を部分拡大した説明図、図３は、本発明の可撓性容器の第１の実施形態の口頸部を模式的に平面で示した説明図である。
【００３２】
第１の実施形態の可撓性容器１００は、図１のように、口頸部１と、肩部２と、胴部３とからなっていて、口頸部１の先端に設けられた開口部４より内容物を押出す可撓性容器１００である。そして、口頸部１の外周には、雄ネジ５が設けられている。また、口頸部１の下端には、ネックリング１１が設けられている。
【００３３】
本実施形態の雄ネジ５は２条ネジであって、背面図も図１と同じである。図２にも示すように、雄ネジ５には、雄ネジ欠損部５１が設けられていて、これにより、短い短雄ネジ部５２が断続する雄ネジ５となっている。
【００３４】
図３のように、雄ネジ欠損部５１は雄ネジ５の周方向に対向させた対で設けられ、本実施形態の可撓性容器１００では、２対の雄ネジ欠損部５１が周方向に等間隔になるように設けられているが、３対の雄ネジ欠損部５１や、４対の雄ネジ欠損部５１を設けても良い。
【００３５】
短雄ネジ部５２の雄ネジ欠損部５１側の両端は、曲線状に形成されている。尚、口頸部１の軸方向に、並んで雄ネジ５が設けられる場合は、雄ネジ欠損部５１も、口頸部１の軸方向に並んで設ける。また、口頸部１の肉厚を、雄ネジ欠損部５１の位置で、口頸部１の軸方向に、帯状に薄肉にしても良い。
【００３６】
図４は、本発明の可撓性容器１００で口頸部１の中に残った内容物８を出す方法を説明する方法を説明する図である。（Ａ）は、対向する位置の一対の雄ネジ欠損部５１を押しつぶしたときの状態、（Ｂ）は、次に、周方向で角度が９０度ずれた周方向の対向する位置の一対の雄ネジ欠損部５１を押しつぶしたときの状態、（Ｃ）は、次に、押しつぶすのをやめた状態、（Ｄ）は、そのときの正面図である。
【００３７】
可撓性容器１００の対向する位置の一対の雄ネジ欠損部５１を指で挟んで、口頸部１を押しつぶして、扁平にすると、図４（Ａ）のように、雄ネジ欠損部５１の距離が、口頸部１の内径の１／３から２／３になったところで、雄ネジ欠損部５１を挟んで隣り合った前
記短雄ネジ部５２どうしが接触して、これ以上押しつぶしにくくなる。
【００３８】
次に、周方向で角度が９０度ずれた別の一対の雄ネジ欠損部５１を指で挟んで押しつぶして、扁平にすると、図４（Ｂ）のように、雄ネジ欠損部５１の距離が、口頸部１の内径の１／３から２／３になったところで、雄ネジ欠損部５１を挟んで隣り合った前記短雄ネジ部５２どうしが接触して、これ以上押しつぶしにくくなる。
【００３９】
そして、押しつぶすのをやめると、図４の（Ｃ）のように、口頸部１の中の内容物８は細くなり、内壁から浮いて、離れた状態となる。図４の（Ｄ）は、この状態の側面図である。このように、内容物８の一部が開口部４から押出され、指を離しても、内容物８が元に戻らない。
【００４０】
この押出された状態の内容物８の先を、内容物８を取り出す先のもの、例えば、食品とか、容器とか、ブラシとか、に触れさせて、離すと、押出された状態の内容物８と、口頸部１の中の細くなった内容物８が、内容物８を取り出す先のものに取られ、口頸部１の中の内容物８まで、出すことができる。
【００４１】
そして、雄ネジ欠損部５１を指で挟んで口頸部１を押しつぶしても、容易に元に戻すことができ、口頸部１の断面が扁平のままにならないので、口頸部１より中に、まだ、内容物８が残っているときにも、再度、キャップをすることができる。
【００４２】
また、短雄ネジ部５２の雄ネジ欠損部５１側の両端は曲線状に形成されているので、対向する位置の一対の雄ネジ欠損部５１を指で挟んで押しつぶすときに、指が痛くなることがない。
【００４３】
＜第２の実施形態＞
以下、本発明を実施するための第２の実施形態につき説明する。
図５は、本発明の可撓性容器の第２の実施形態を模式的に正面で示した説明図、図６は、本発明の可撓性容器の第２の実施形態の正面を部分拡大した説明図、図７は、本発明の可撓性容器の第２の実施形態の口頸部を模式的に平面で示した説明図である。
【００４４】
第２の実施形態の可撓性容器２００は、図５のように、口頸部１と、肩部２と、胴部３とからなっていて、口頸部１の先端に設けられた開口部４より内容物８を押出す可撓性容器２００である。そして、口頸部１の外周には、雄ネジ５が設けられている。その上方には、閉栓時に、キャップ内面に設けられたリング状凹部に嵌り込み、前記キャップと口頸部１との位置を保持する環状係止突起６が設けられている。また、口頸部１の下端には、ネックリング１１が設けられている。
【００４５】
本実施形態の雄ネジ５は２条ネジであって、背面図も図５と同じである。図６にも示すように、雄ネジ５には、雄ネジ欠損部５１が設けられていて、これにより、短い短雄ネジ部５２が断続する雄ネジ５となっている。
【００４６】
同様に、環状係止突起６には、係止突起欠損部６１が設けられていて、これにより、短い短係止突起部６２が断続する環状係止突起６となっていて、係止突起欠損部６１は、雄ネジ欠損部５１と口頸部１の軸方向の略同位置に並んでいる。
【００４７】
図７のように、雄ネジ欠損部５１は雄ネジ５の周方向に対向させた対で設けられ、本実施形態の可撓性容器２００では、２対の雄ネジ欠損部５１が周方向に等間隔になるように設けられているが、３対の雄ネジ欠損部５１や、４対の雄ネジ欠損部５１が周方向に等間隔になるように設けても良い。
【００４８】
短雄ネジ部５２の雄ネジ欠損部５１側の両端は、曲線状に形成されている。尚、口頸部１の軸方向に、重なるように雄ネジ５が設けられる場合は、雄ネジ欠損部５１も、口頸部１の軸方向に並んで設ける。また、口頸部１の肉厚を、雄ネジ欠損部５１の位置で、口頸部１の軸方向に、帯状に薄肉にしても良い。
【００４９】
可撓性容器２００に於いても、口頸部１の周方向に対向する位置に設けた一対の雄ネジ欠損部５１を指で挟んで、口頸部１を押しつぶして、扁平にすると（可撓性容器２００は第１の実施形態の可撓性容器１００の口頸部１の雄ネジ５の上方に、環状係止突起６を設けた構造であるので、図４を参照）、雄ネジ欠損部５１の距離が、口頸部１の内径の１／３から２／３になったところで、雄ネジ欠損部５１を挟んで隣り合った前記短雄ネジ部５２どうしが接触して、これ以上押しつぶしにくくなる。
【００５０】
係止突起欠損部６１は、雄ネジ欠損部５１と口頸部１の軸方向の略同位置に並んでいて、口頸部１を押しつぶして、扁平にしたときに、雄ネジ欠損部５１を挟んで隣り合った前記短雄ネジ部５２どうしが接触するのを妨げないような、係止突起欠損部６１の周方向の長さや、短係止突起部６２の形状としている。
【００５１】
次に、周方向で角度が９０度ずれた別の一対の雄ネジ欠損部５１を指で挟んで押しつぶして、扁平にすると、雄ネジ欠損部５１の距離が、口頸部１の内径の１／３から２／３になったところで、雄ネジ欠損部５１を挟んで隣り合った前記短雄ネジ部５２どうしが接触して、これ以上押しつぶしにくくなる。
【００５２】
そして、押しつぶすのをやめると、口頸部１の中の内容物８は細くなり、内壁から浮いて、離れた状態となり、また、内容物８の一部が開口部４から押出された状態となり、指を離しても、内容物８が元に戻らない。
【００５３】
この押出された状態の内容物８の先を、内容物８を取り出す先のもの、例えば、食品とか、容器とか、ブラシとか、に触れさせて、離すと、押出された状態の内容物８と、口頸部１の中の細くなった内容物８が、内容物８を取り出す先のものに取られ、口頸部１の中の内容物８まで、出すことができる。
【００５４】
そして、雄ネジ欠損部５１を指で挟んで口頸部１を押しつぶしても、容易に元に戻すことができ、口頸部１の断面が扁平のままにならないので、口頸部１より中に、まだ、内容物８が残っているときにも、再度、キャップをすることができる。
【００５５】
また、短雄ネジ部５２の雄ネジ欠損部５１側の両端は曲線状に形成されているので、対向する位置の一対の雄ネジ欠損部５１を指で挟んで押しつぶすときに、指が痛くなることがない。
【００５６】
＜第３の実施形態＞
以下、本発明を実施するための第３の実施形態につき説明する。
図８は、本発明の可撓性容器の第３の実施形態を模式的に正面で示した説明図、図９は、本発明の可撓性容器の第３の実施形態の正面を部分拡大した説明図、図１０は、本発明の可撓性容器の第３の実施形態の口頸部を模式的に平面で示した説明図である。
【００５７】
第３の実施形態の可撓性容器３００は、第１の実施形態や、第２の実施形態のスクリューキャップ用ではなく、キャップを廻さずに押して被せる、打栓キャップ用に、雄ネジ５の替わりに咬合リング突起７を設け、この咬合リング突起７が、キャップの側壁内面に設けたリング状溝に咬合してキャップを嵌合する可撓性容器３００である。
【００５８】
この可撓性容器３００は、図８のように、口頸部１と、肩部２と、胴部３とからなっていて、口頸部１の先端に設けられた開口部４より内容物８を押出す可撓性容器３００である。そして、口頸部１の外周には、咬合リング突起７が設けられている。また、口頸部１の下端には、ネックリング１１が設けられている。
【００５９】
本実施形態の可撓性容器３００の咬合リング突起７には、図９にも示すように、咬合リング欠損部７１が設けられていて、これにより、短い短咬合リング突起部７２が断続する咬合リング突起７となっている。
【００６０】
図１０のように、咬合リング欠損部７１は咬合リング突起７の周方向に対向させた対で設けられ、本実施形態の可撓性容器３００では、２対の欠損部が周方向に等間隔になるように設けられているが、３対の咬合リング欠損部７１や、４対の咬合リング欠損部７１としても良い。短咬合リング突起部７２の咬合リング欠損部７１側の両端は、曲線状に形成されている。また、口頸部１の肉厚を、咬合リング欠損部７１の位置で、口頸部１の軸方向に、帯状に薄肉にしても良い。
【００６１】
可撓性容器３００に於いては、口頸部１の周方向に対向する位置に設けた一対の咬合リング欠損部７１を指で挟んで、口頸部１を押しつぶして、扁平にすると（可撓性容器３００は第１の実施形態の可撓性容器１００の口頸部１の雄ネジ５を、咬合リング突起７に替えものであるので、図４を参照）、咬合リング欠損部７１の距離が、口頸部１の内径の１／３から２／３になったところで、咬合リング欠損部７１を挟んで隣り合った前記短咬合リング突起部７２どうしが接触して、これ以上押しつぶしにくくなる。
【００６２】
次に、周方向で角度が９０度ずれた別の一対の咬合リング欠損部７１を指で挟んで押しつぶして、扁平にすると、咬合リング欠損部７１の距離が、口頸部１の内径の１／３から２／３になったところで、咬合リング欠損部７１を挟んで隣り合った前記短咬合リング突起部７２どうしが接触して、これ以上押しつぶしにくくなる。
【００６３】
そして、押しつぶすのをやめると、口頸部１の中の内容物８は細くなり、内壁から浮いて、離れた状態となり、また、内容物８の一部が開口部４から押出された状態となり、指を離しても、内容物８が元に戻らない。
【００６４】
この押出された状態の内容物８の先を、内容物８を取り出す先のもの、例えば、食品とか、容器とか、ブラシとか、に触れさせて、離すと、押出された状態の内容物８と、口頸部１の中の細くなった内容物８が、内容物８を取り出す先のものに取られ、口頸部１の中の内容物８まで、出すことができる。
【００６５】
そして、咬合リング欠損部７１を指で挟んで口頸部１を押しつぶしても、容易に元に戻すことができ、口頸部１の断面が扁平のままにならないので、口頸部１より中に、まだ、内容物８が残っているときにも、再度、キャップをすることができる。
【００６６】
また、短咬合リング突起部７２の咬合リング欠損部７１側の両端は曲線状に形成されているので、対向する位置の一対の咬合リング欠損部７１を指で挟んで押しつぶすときに、指が痛くなることがない。
【符号の説明】
【００６７】
１００、２００、３００・・・可撓性容器
１・・・口頸部
１１・・・ネックリング
２・・・肩部
３・・・胴部
４・・・開口部
５・・・雄ネジ
５１・・・雄ネジ欠損部
５２・・・短雄ネジ部
６・・・環状係止突起
６１・・・係止突起欠損部
６２・・・短係止突起部
７・・・咬合リング突起
７１・・・咬合リング欠損部
７２・・・短咬合リング突起部
８・・・内容物
【図１】
0005768392.tif 000002
【図２】
0005768392.tif 000003
【図３】
0005768392.tif 000004
【図４】
0005768392.tif 000005
【図５】
0005768392.tif 000006
【図６】
0005768392.tif 000007
【図７】
0005768392.tif 000008
【図８】
0005768392.tif 000009
【図９】
0005768392.tif 000010
【図１０】
0005768392.tif 000011